(57)【要約】【課題】配線板間を接続するケーブルの接続異常を容易に検出できる表示装置などを提供する。【解決手段】表示装置１は、表示パネル１２と、主配線板１００と、第一帰還配線１１５ｓを有する第一配線板１１０と、主配線板１００と第一配線板１１０とを着脱自在に接続する第一ケーブル１５０とを備え、主配線板１００は、第一出力配線１０１と、第一入力配線１０３と、第一出力配線１０１に第一電圧を出力する第一回路（電源回路３）と、第一入力配線１０３に接続される制御回路６０とを有し、第一ケーブル１５０は、第一出力配線１０１と第一帰還配線１１５ｓとを直接又は間接的に接続する第一往路導体１５１と、第一入力配線１０３と第一帰還配線１１５ｓとを直接又は間接的に接続する第一復路導体１５２とを有し、制御回路６０は、第一電圧の入力の有無を判定し、第一電圧の入力が有ると判定した場合に、表示パネル１２における表示を開始する。【選択図】図３
2020024316.tif 000002
【特許請求の範囲】
【請求項１】
表示装置であって、
表示パネルと、
主配線板と、
第一帰還配線を有する第一配線板と、
前記主配線板と前記第一配線板とを着脱自在に接続する第一ケーブルとを備え、
前記主配線板は、
第一出力配線と、
第一入力配線と、
前記第一出力配線に第一電圧を出力する第一回路と、
前記第一入力配線に接続される制御回路とを有し、
前記第一ケーブルは、
前記第一出力配線と前記第一帰還配線とを直接又は間接的に接続する第一往路導体と、
前記第一入力配線と前記第一帰還配線とを直接又は間接的に接続する第一復路導体とを有し、
前記制御回路は、前記第一電圧の入力の有無を判定し、前記第一電圧の入力が有ると判定した場合に、前記表示パネルにおける表示を開始する
表示装置。
【請求項２】
前記第一往路導体と、前記第一復路導体とは、前記第一ケーブルの端部において、前記端部における前記第一ケーブルの幅の半分以上離隔して配置される
請求項１に記載の表示装置。
【請求項３】
前記表示装置は、
第二帰還配線を有する第二配線板と、
前記主配線板と前記第二配線板とを着脱自在に接続する第二ケーブルをさらに備え、
前記主配線板は、中継配線をさらに有し、
前記第一復路導体は、前記中継配線と前記第一帰還配線とを接続し、
前記第二ケーブルは、
前記中継配線と前記第二帰還配線とを直接又は間接的に接続する第二往路導体と、
前記第一入力配線と前記第二帰還配線とを直接又は間接的に接続する第二復路導体とを有する
請求項１又は２に記載の表示装置。
【請求項４】
前記主配線板は、前記中継配線に接続された端子をさらに有する
請求項３に記載の表示装置。
【請求項５】
前記主配線板は、第二出力配線と、第二入力配線と、前記第二出力配線に第二電圧を出力する第二回路とをさらに有し、
前記制御回路は、前記第二入力配線に接続され、
前記表示装置は、
第三帰還配線を有する第三配線板と、
前記主配線板と前記第三配線板とを着脱自在に接続する第三ケーブルとをさらに備え、
前記第三ケーブルは、
前記第二出力配線と前記第三帰還配線とを直接又は間接的に接続する第三往路導体と、
前記第二入力配線と前記第三帰還配線とを直接又は間接的に接続する第三復路導体とを有し、
前記制御回路は、前記第二電圧の入力の有無を判定し、前記第二電圧の入力が有ると判定した場合に、前記表示パネルにおける表示を開始する
請求項１〜４のいずれか１項に記載の表示装置。
【請求項６】
表示装置の検査方法であって、
前記表示装置は、表示パネルと、主配線板と、第一帰還配線を有する第一配線板と、前記主配線板と前記第一配線板とを着脱自在に接続する第一ケーブルとを備え、
前記主配線板は、第一出力配線と、第一入力配線と、前記第一出力配線に第一電圧を出力する第一回路と、前記第一入力配線に接続される制御回路とを有し、
前記第一ケーブルは、前記第一出力配線と前記第一帰還配線とを直接又は間接的に接続する第一往路導体と、前記第一入力配線と前記第一帰還配線とを直接又は間接的に接続する第一復路導体とを有し、
前記表示装置の検査方法は、
前記第一回路が前記第一電圧を出力するステップと、
前記制御回路への前記第一電圧の入力の有無を判定するステップと、
前記制御回路への前記第一電圧の入力が有ると判定した場合に、前記表示パネルにおける表示を開始するステップとを含む
表示装置の検査方法。
【発明の詳細な説明】
【技術分野】
【０００１】
本開示は、表示装置及び表示装置の検査方法に関する。
【背景技術】
【０００２】
従来、有機ＥＬ（Ｅｌｅｃｔｒｏ  Ｌｕｍｉｎｅｓｃｅｎｃｅ）などを用いた表示パネルには、表示パネルの複数のマトリクス状に配置された画素回路に電圧などを供給するプリント基板がフレキシブル配線板を介して接続される（例えば、特許文献１）。
【先行技術文献】
【特許文献】
【０００３】
【特許文献１】特開２００２−３２９９４１号公報
【発明の概要】
【発明が解決しようとする課題】
【０００４】
特許文献１に記載されたプリント基板及びフレキシブル配線板は、表示パネルの大型化に伴って大型化するが、これらのプリント基板及びフレキシブル配線板は、構造上、大型化が困難であったり、大型化に伴ってコストが大幅に上昇したりする。そこで、プリント基板及びフレキシブル配線板を複数に分割することが考えられるが、これに伴い、プリント基板間を接続するケーブルの個数が増加する。このため、ケーブルの接続作業が増加するため、ケーブルの接続不良が増加し得る。さらに、このような接続不良は、必ずしも容易に検出できない。例えば、画素回路に電圧を供給するためのケーブルの一部に接続不良があっても、表示パネルの電源配線を介して他のケーブルからの電圧が画素回路に供給され得る。このため、表示パネルの表示状態を目視で確認するだけでは、直ちに異常を検出できない場合がある。
【０００５】
本開示は、上記の課題に鑑みてなされたものであり、配線板間を接続するケーブルの接続異常を容易に検出できる表示装置などを提供することを目的とする。
【課題を解決するための手段】
【０００６】
上記目的を達成するために、本開示の一態様に係る表示装置は、表示パネルと、主配線板と、第一帰還配線を有する第一配線板と、前記主配線板と前記第一配線板とを着脱自在に接続する第一ケーブルとを備え、前記主配線板は、第一出力配線と、第一入力配線と、前記第一出力配線に第一電圧を出力する第一回路と、前記第一入力配線に接続される制御回路とを有し、前記第一ケーブルは、前記第一出力配線と前記第一帰還配線とを直接又は間接的に接続する第一往路導体と、前記第一入力配線と前記第一帰還配線とを直接又は間接的に接続する第一復路導体とを有し、前記制御回路は、前記第一電圧の入力の有無を判定し、前記第一電圧の入力が有ると判定した場合に、前記表示パネルにおける表示を開始する。
【０００７】
また、上記目的を達成するために、本開示の一態様に係る表示装置の検査方法において、前記表示装置は、表示パネルと、主配線板と、第一帰還配線を有する第一配線板と、前記主配線板と前記第一配線板とを着脱自在に接続する第一ケーブルとを備え、前記主配線板は、第一出力配線と、第一入力配線と、前記第一出力配線に第一電圧を出力する第一回路と、前記第一入力配線に接続される制御回路とを有し、前記第一ケーブルは、前記第一出力配線と前記第一帰還配線とを直接又は間接的に接続する第一往路導体と、前記第一入力配線と前記第一帰還配線とを直接又は間接的に接続する第一復路導体とを有し、前記表示装置の検査方法は、前記第一回路が前記第一電圧を出力するステップと、前記制御回路への前記第一電圧の入力の有無を判定するステップと、前記制御回路への前記第一電圧の入力が有ると判定した場合に、前記表示パネルにおける表示を開始するステップとを含む。
【発明の効果】
【０００８】
本開示によれば、配線板間を接続するケーブルの接続異常を容易に検出できる表示装置などを提供できる。
【図面の簡単な説明】
【０００９】
【図１】図１は、実施の形態１に係る表示装置の全体構成を示す機能ブロック図である。
【図２】図２は、実施の形態１に係る表示装置の回路基板の構成を示す概略図である。
【図３】図３は、実施の形態１に係る主配線板と、第一配線板と、第二配線板と、第一ケーブルと、第二ケーブルとを示す模式図である。
【図４】図４は、比較例の表示装置の回路基板の構成を示す概略図である。
【図５】図５は、比較例の表示装置の表示パネルにおける表示例を示す模式図である。
【図６】図６は、実施の形態１に係る表示装置の検査方法を示すフローチャートである。
【図７】図７は、実施の形態１に係る第一ケーブルの詳細構成を示す模式図である。
【図８】図８は、比較例１の第一ケーブルにおいて接続異常が発生した場合の状態を示す模式図である。
【図９】図９は、比較例２の第一ケーブルにおいて接続異常が発生した場合の状態を示す模式図である。
【図１０】図１０は、実施の形態１に係る第一ケーブルにおいて接続異常が発生した場合の状態を示す模式図である。
【図１１】図１１は、実施の形態２に係る主配線板と、第三配線板と、第四配線板と、第三ケーブルと、第四ケーブルとを示す模式図である。
【図１２】図１２は、実施の形態２に係る表示装置の検査方法を示すフローチャートである。
【図１３】図１３は、各実施の形態に係る表示装置を内蔵した薄型フラットＴＶの外観図である。
【発明を実施するための形態】
【００１０】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、工程、並びに、工程の順序などは、一例であって本開示を限定する主旨ではない。よって、以下の実施の形態における構成要素のうち、本開示における最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
実施の形態１に係る表示装置及び表示装置の検査方法について説明する。
【００１３】
［１−１．表示装置の全体構成］
まず、本実施の形態に係る表示装置の全体構成について図１を用いて説明する。
【００１４】
図１は、本実施の形態に係る表示装置１の全体構成を示す機能ブロック図である。
【００１５】
本実施の形態に係る表示装置１は、映像信号に基いて映像を表示する装置である。表示装置１は、図１に示されるように、機能的には、表示部２と、電源回路３と、データ線駆動回路４０と、ゲート駆動回路５０と、制御回路６０とを備える。
【００１６】
表示部２は、各々が発光素子及び当該発光素子を発光駆動するための回路素子を備える複数の画素回路２０が行列状に配置された表示パネルである。発光素子は、供給される電流に応じて輝度が変化する。発光素子として、例えば、有機ＥＬ素子、マイクロＬＥＤ素子などを用いることができる。
【００１７】
電源回路３は、複数の画素回路２０を有する表示パネル（図１では不図示）に供給する電源電圧を出力する回路である。電源回路３は、表示部２の外周領域に配置された給電線３０から各画素回路２０に電源電圧を給電する。なお、給電線３０は、複数の電源線を含み、複数の電源線は、それぞれ異なる電圧を画素回路２０に供給する。本実施の形態では、電源回路３は、一つのＩＣチップで実現される。
【００１８】
制御回路６０は、入力される映像信号に対応する階調信号を表示パネルに供給する回路である。本実施の形態では、制御回路６０は、データ線駆動回路４０とゲート駆動回路５０とを制御する。制御回路６０は、外部から入力された映像信号に基づいて各発光素子の発光輝度に対応する階調信号を生成し、生成した階調信号をデータ線駆動回路４０へ出力する。
【００１９】
また、制御回路６０は、入力される同期信号に基づいてゲート駆動回路５０を制御するための制御信号を生成し、当該生成した制御信号をデータ線駆動回路４０及びゲート駆動回路５０へ出力する。制御回路６０は、具体的には、ＣＰＵ及びタイミングコントローラを備える。制御回路６０では、入力された同期信号に基づいて、ＣＰＵがタイミングコントローラを制御することにより、タイミングコントローラからデータ線駆動回路４０及びゲート駆動回路５０へ制御信号を出力する。本実施の形態では、制御回路６０は、一つのＩＣチップで実現される。
【００２０】
データ線駆動回路４０は、制御回路６０で生成された階調信号に基づいて、表示部２のデータ線を駆動する。より具体的には、データ線駆動回路４０は、映像信号及び水平同期信号に基づいて、各画素回路に映像信号を反映した映像信号電圧（データ電圧）を出力する。
【００２１】
ゲート駆動回路５０は、制御回路６０で生成された制御信号に基づいて、表示部２の走査線などを駆動する。より具体的には、ゲート駆動回路５０は、垂直同期信号及び水平同期信号に基づいて、各画素回路に走査信号などを、少なくとも表示ライン単位で出力する。
【００２２】
［１−２．回路基板］
本実施の形態に係る表示装置１が備える回路基板について、図２及び図３を用いて説明する。図２は、本実施の形態に係る表示装置１の回路基板９の構成を示す概略図である。図２には、表示装置１の表示面の裏側が示されている。図３は、本実施の形態に係る主配線板１００と、第一配線板１１０と、第二配線板１２０と、第一ケーブル１５０と、第二ケーブル１６０とを示す模式図である。
【００２３】
図２に示されるように、本実施の形態に係る表示装置１は、構造的には、回路基板９と、表示パネル１２とを備える。
【００２４】
表示パネル１２は、図１に示される複数の画素回路２０を有する。本実施の形態では、表示パネル１２は、図１に示される表示部２と、データ線駆動回路４０と、ゲート駆動回路５０とを有する。
【００２５】
回路基板９は、複数の画素回路２０を有する表示パネル１２に電源電圧などを供給する基板である。回路基板９は、図２に示されるように、主配線板１００と、第一配線板１１０と、第二配線板１２０と、第一ケーブル１５０と、第二ケーブル１６０とを備える。本実施の形態では、回路基板９は、さらに、第三ケーブル２５０と、第四ケーブル２６０と、第三配線板１７０と、第四配線板１８０と、第一接続板１３１ａ〜１３１ｃと、第二接続板１３２ａ〜１３２ｃと、第三接続板１３３ａ〜１３３ｆと、第四接続板１３４ａ〜１３４ｆとを備える。
【００２６】
主配線板１００は、図３に示されるように、第一出力配線１０１と、中継配線１０２と、第一入力配線１０３と、電源回路３と、制御回路６０とを有する基板である。本実施の形態では、主配線板１００は、プリント回路板で実現され、電源回路３及び制御回路６０にそれぞれ対応する二つのＩＣチップが実装されている。電源回路３は、第一出力配線１０１に接続される。第一出力配線１０１は、例えば、電源回路３の出力ポートに接続される。本実施の形態では、電源回路３は、第一出力配線１０１に第一電圧を出力する第一回路の一例である。ここで、第一電圧は、特に限定されず、電源電圧であってもよいし、通信用信号に対応する信号電圧であってもよい。本実施の形態では、第一電圧は、電源回路３の状態を示すステータス信号である。制御回路６０は、第一入力配線１０３に接続される。第一入力配線１０３は、例えば、制御回路６０の入力ポートに接続される。
【００２７】
主配線板１００には、第一ケーブル１５０、第二ケーブル１６０、第三ケーブル２５０及び第四ケーブル２６０がそれぞれ接続されるコネクタ１０５、１０６、１０７及び１０８が実装される。なお、図示しないが、主配線板１００は、他の配線、センサ、制御回路６０に電力を供給する電源ＩＣなどをさらに有する。
【００２８】
第一配線板１１０は、電源電圧が印加される配線を有する基板である。本実施の形態では、第一配線板１１０は、プリント回路板で実現され、コネクタ１１５が実装される。コネクタ１１５には、第一ケーブル１５０が接続される。また、第一配線板１１０は、図３に示されるように、第一帰還配線１１５ｓを有する。本実施の形態では、第一帰還配線１１５ｓは、コネクタ１１５の二つの端子を短絡する配線である。第一配線板１１０は、第一帰還配線１１５ｓ以外の他の配線がプリントされていてもよい。
【００２９】
第二配線板１２０は、電源電圧が印加される配線を有する基板である。本実施の形態では、第二配線板１２０は、プリント回路板で実現され、コネクタ１２５が実装される。コネクタ１２５には、第二ケーブル１６０が接続される。また、第二配線板１２０は、図３に示されるように、第二帰還配線１２５ｓを有する。本実施の形態では、第二帰還配線１２５ｓは、コネクタ１２５の二つの端子を短絡する配線である。第二配線板１２０は、第二帰還配線１２５ｓ以外の他の配線がプリントされていてもよい。
【００３０】
第一ケーブル１５０は、主配線板１００と第一配線板１１０とを着脱自在に接続するケーブルである。第一ケーブル１５０は、複数の芯線を形成する導体を含み、フレキシブルな（つまり、可撓性を有する）平板状のケーブルであってもよい。第一ケーブル１５０は、図３に示されるように、第一出力配線１０１と第一帰還配線１１５ｓとを直接又は間接的に接続する第一往路導体１５１と、第一入力配線１０３と第一帰還配線１１５ｓとを直接又は間接的に接続する第一復路導体１５２とを有する。本実施の形態では、第一復路導体１５２は、第一入力配線１０３と第一帰還配線１１５ｓとを中継配線１０２などを介して間接的に接続する。第一ケーブル１５０は、例えば、ＦＦＣ（Ｆｌｅｘｉｂｌｅ  Ｆｌａｔ  Ｃａｂｌｅ）で実現される。
【００３１】
第二ケーブル１６０は、主配線板１００と第二配線板１２０とを着脱自在に接続するケーブルである。第二ケーブル１６０は、複数の芯線の形成する導体を含み、フレキシブルな平板状のケーブルであってもよい。本実施の形態では、第二ケーブル１６０は、図３に示されるように、中継配線１０２と第二帰還配線１２５ｓとを直接又は間接的に接続する第二往路導体１６１と、第一入力配線１０３と第二帰還配線１２５ｓとを直接又は間接的に接続する第二復路導体１６２とを有する。第二ケーブル１６０は、例えば、ＦＦＣで実現される。
【００３２】
第一接続板１３１ａ〜１３１ｃは、第一配線板１１０と、表示パネル１２とを接続する配線板である。第一接続板１３１ａ〜１３１ｃは、それぞれ、複数の芯線を形成する導体を含み、フレキシブルな平板状の基板であってもよい。第一接続板１３１ａ〜１３１ｃは、例えば、ＦＰＣ（Ｆｌｅｘｉｂｌｅ  Ｐｒｉｎｔｅｄ  Ｃｉｒｃｕｉｔｓ）で実現される。第一接続板１３１ａ〜１３１ｃは、第一配線板１１０及び表示パネル１２と、例えば、異方性導電フィルム（Ａｎｉｓｏｔｒｏｐｉｃ  Ｃｏｎｄｕｃｔｉｖｅ  Ｆｉｌｍ；ＡＣＦ）などを用いて接続される。
【００３３】
第二接続板１３２ａ〜１３２ｃは、第二配線板１２０と、表示パネル１２とを接続する配線板である。第二接続板１３２ａ〜１３２ｃは、それぞれ、複数の芯線を形成する導体を含み、フレキシブルな平板状の基板であってもよい。第二接続板１３２ａ〜１３２ｃは、例えば、ＦＰＣで実現される。第二接続板１３２ａ〜１３２ｃは、第二配線板１２０及び表示パネル１２と、例えば、ＡＣＦなどを用いて接続される。
【００３４】
第三ケーブル２５０は、主配線板１００と第三配線板１７０とを着脱自在に接続するケーブルであって、制御回路６０が出力する階調信号が印加される。また、第三ケーブル２５０には、制御回路６０が出力する制御信号が印加されてもよい。第三ケーブル２５０は、複数の芯線を形成する導体を含み、フレキシブルな平板状のケーブルであってもよい。第三ケーブル２５０は、例えば、ＦＦＣで実現される。
【００３５】
第四ケーブル２６０は、主配線板１００と第四配線板１８０とを着脱自在に接続するケーブルであって、制御回路６０が出力する階調信号が印加される。また、第四ケーブル２６０には、制御回路６０が出力する制御信号が印加されてもよい。第四ケーブル２６０は、複数の芯線を形成する導体を含み、フレキシブルな平板状のケーブルであってもよい。第四ケーブル２６０は、例えば、ＦＦＣで実現される。
【００３６】
第三配線板１７０は、階調信号が印加される基板である。第三配線板１７０は、制御信号が印加されてもよい。本実施の形態では、第三配線板１７０は、プリント回路板で実現され、コネクタ１７５が実装される。コネクタ１７５には、第三ケーブル２５０が接続される。
【００３７】
第四配線板１８０は、階調信号が印加される基板である。第四配線板１８０は、制御信号が印加されてもよい。本実施の形態では、第四配線板１８０は、プリント回路板で実現され、コネクタ１８５が実装される。コネクタ１８５には、第四ケーブル２６０が接続される。
【００３８】
第三接続板１３３ａ〜１３３ｆは、第三配線板１７０と、表示パネル１２とを接続するフレキシブル配線板である。第三接続板１３３ａ〜１３３ｆは、それぞれ、複数の芯線を形成する導体を含み、フレキシブルな平板状の基板であってもよい。第三接続板１３３ａ〜１３３ｆは、例えば、ＦＰＣで実現される。第三接続板１３３ａ〜１３３ｆは、第三配線板１７０及び表示パネル１２と、例えば、ＡＣＦなどを用いて接続される。
【００３９】
第四接続板１３４ａ〜１３４ｆは、第四配線板１８０と、表示パネル１２とを接続するフレキシブル配線板である。第四接続板１３４ａ〜１３４ｆは、それぞれ、複数の芯線を形成する導体を含み、フレキシブルな平板状の基板であってもよい。第四接続板１３４ａ〜１３４ｆは、例えば、ＦＰＣで実現される。第四接続板１３４ａ〜１３４ｆは、第四配線板１８０及び表示パネル１２と、例えば、ＡＣＦなどを用いて接続される。
【００４０】
［１−３．動作］
次に、本実施の形態に係る表示装置１の動作について説明する。
【００４１】
本実施の形態に係る表示装置１の制御回路６０は、階調信号及び制御信号を表示パネル１２に供給することで表示パネル１２を制御する。制御回路６０は、表示パネル１２における表示を開始するに先立って、電源回路３など周辺の回路が正常に動作していることを確認する。表示装置１に電力の供給が開始された際に、回路基板９の電源回路３などの各回路には、電力が供給される。各回路は、電力が供給されて適正に動作していることを示すステータス信号を制御回路６０に出力する。制御回路６０は、ステータス信号に基いてすべての回路が適正に動作していることを確認した場合に、表示パネル１２における表示を開始する。制御回路６０は、少なくとも一つの回路が所定のステータス信号を出力していることを確認できなかった場合には、表示パネル１２における表示を開始しない。この場合、制御回路６０は、例えば、回路の異常を示す信号を出力することで、回路の異常を報知してもよい。
【００４２】
本実施の形態では、電源回路３が出力するステータス信号の一例である第一電圧を用いて、第一ケーブル１５０及び第二ケーブル１６０の接続異常を検知する。図３に示されるように、電源回路３が出力する第一電圧は、第一出力配線１０１、第一往路導体１５１、第一帰還配線１１５ｓ、第一復路導体１５２、中継配線１０２、第二往路導体１６１、第二帰還配線１２５ｓ、第二復路導体１６２及び第一入力配線１０３を介して、制御回路６０に入力される。したがって、電源回路３が適正に第一電圧を出力している場合でも、第一ケーブル１５０及び第二ケーブル１６０の少なくとも一方が適切に接続されていない場合には、制御回路６０に第一電圧が入力されない。制御回路６０は、電源回路３がステータス信号を出力していることを確認できないため、表示パネル１２における表示を開始しない。したがって、表示装置１の検査を行う際に第一ケーブル１５０及び第二ケーブル１６０の接続異常を速やかに検知できる。また、本実施の形態では、主配線板１００は、第一出力配線１０１、中継配線１０２及び第一入力配線１０３にそれぞれ接続された端子Ｔ１、Ｔ２及びＴ３を有する。これにより、各端子における電圧、又は、各端子間の導通を検査することで、異常がある個所を容易に検出できる。
【００４３】
ここで、本実施の形態に係る表示装置１の効果について、比較例に係る表示装置を用いて説明する。図４は、比較例の表示装置１００１の回路基板１００９の構成を示す概略図である。図４には、表示装置１００１の表示面の裏側が示されている。なお、図４には、表示装置１００１において、第一ケーブル１５０と第一配線板１１０とが正常に接続されていない状態が示されている。図４に示される回路基板１００９は、電源回路３のステータス信号が、主配線板１００上で直接制御回路６０に出力される点において、実施の形態１に係る回路基板９と相違し、その他の点において一致する。
【００４４】
このような表示装置１００１において、図４に示されるように、第一ケーブル１５０の接続異常がある場合の表示装置１００１の動作について、図５を用いて説明する。図５は、比較例の表示装置１００１の表示パネル１２における表示例を示す模式図である。図５には、図４に示されるように第一ケーブル１５０と第一配線板１１０とが適切に接続されていない場合の表示パネル１２の表示状態が示されている。
【００４５】
図４に示されるような第一ケーブル１５０の接続異常がある場合、表示パネル１２の第一配線板１１０側に配置された画素回路２０には、第一ケーブル１５０を介して電源電圧を供給できない。しかしながら、これらの画素回路２０には、第二ケーブル１６０及び給電線３０を介して電源電圧が供給される。ここで、一般に給電線３０の抵抗は大きいため、これらの画素回路２０に供給される電源電圧は、適正な電源電圧より低くなる。このため、図５に示されるように、表示パネル１２の第一配線板１１０側に配置された画素回路２０の少なくとも一部の輝度が、他の画素回路の輝度より低くなる。このように、画素回路２０の少なくとも一部の輝度が低下するものの、表示パネル１２の表示状態を目視で確認するだけでは、直ちに異常を検出できない場合がある。
【００４６】
一方、本実施の形態に係る表示装置１では、制御回路６０は、第一電圧の入力の有無を判定し、第一電圧の入力が有ると判定した場合に、表示パネル１２における表示を開始する。逆に、制御回路６０は、第一電圧の入力がないと判定した場合に、表示パネル１２における表示を開始しない。つまり、制御回路６０は、第一ケーブル１５０及び第二ケーブル１６０の少なくとも一方に接続異常がある場合に、制御回路６０は、表示パネル１２における表示を開始しない。これにより、第一ケーブル１５０及び第二ケーブル１６０の接続異常を容易に検出できる。
【００４７】
［１−４．検査方法］
次に、本実施の形態に係る表示装置１の検査方法について、図６を用いて説明する。図６は、本実施の形態に係る表示装置１の検査方法を示すフローチャートである。
【００４８】
図６に示されるように、まず、表示装置１の電源回路３が、第一電圧を出力する（Ｓ１０）。具体的には、例えば、表示装置１の電力投入時などに、電源回路３がステータス信号として第一電圧を出力する。
【００４９】
続いて、制御回路６０は、制御回路６０への第一電圧の入力の有無を判定する（Ｓ２０）。制御回路６０が、第一電圧の入力が有ると判定した場合（Ｓ２０でＹｅｓ）、制御回路６０は、表示パネル１２における表示を開始する（Ｓ３０）。なお、表示を開始する際に、制御回路６０は、他の回路のステータス信号の判定を行ってもよい。一方、制御回路６０が、第一電圧の入力がないと判定した場合（Ｓ２０でＮｏ）、制御回路６０は、第一ケーブル１５０及び第二ケーブル１６０の少なくとも一方に接続異常が発生している可能性があると判断して、表示パネル１２における表示を開始することなく、異常を報知する（Ｓ４０）。この場合、制御回路６０は、例えば、異常を示す信号を出力してもよい。なお、第一電圧の入力がない場合には、電源回路３に異常がある可能性もある。電源回路３の異常であるのか、各ケーブルの接続異常であるのかは、例えば、図３に示される端子Ｔ１〜Ｔ３の電圧などを検出することで判定できる。
【００５０】
このように、本実施の形態に係る表示装置１の検査方法によれば、第一ケーブル１５０及び第二ケーブル１６０の接続異常を容易に検出できる。
【００５１】
［１−５．第一ケーブル及び第二ケーブルの詳細構成］
次に、本実施の形態に係る第一ケーブル１５０及び第二ケーブル１６０の詳細構成について図７を用いて説明する。図７は、本実施の形態に係る第一ケーブル１５０の詳細構成を示す模式図である。
【００５２】
図７に示されるように、本実施の形態に係る第一ケーブル１５０において、第一往路導体１５１と、第一復路導体１５２とは、第一ケーブル１５０の端部において、端部における第一ケーブル１５０の幅Ｗ０の半分以上離隔して配置される。図７に示される例では、第一往路導体１５１と、第一復路導体１５２との間隔Ｗａが幅Ｗ０の半分以上である。つまり、Ｗａ≧Ｗ０／２が成り立つ。
【００５３】
この構成の効果について、図８〜図１０を用いて説明する。図８、図９及び図１０は、それぞれ比較例１の第一ケーブル１５０ａ、比較例２の第一ケーブル１５０ｂ及び本実施の形態に係る第一ケーブル１５０において接続異常が発生した場合の状態を示す模式図である。
【００５４】
図８に示される比較例１の第一ケーブル１５０ａは、本実施の形態に係る第一ケーブル１５０と同様に、第一往路導体１５１ａ及び第一復路導体１５２ａを有する。しかしながら、比較例１の第一ケーブル１５０ａは、第一往路導体１５１ａと第一復路導体１５２ａとの間隔が狭い点において、本実施の形態に係る第一ケーブル１５０と相違する。
【００５５】
このような比較例１の第一ケーブル１５０ａでは、図８に示されるように、第一ケーブル１５０ａがコネクタ１１５に角度θで斜めに挿入された場合、第一往路導体１５１ａ及び第一復路導体１５２ａと第一帰還配線１１５ｓとの導通が維持されることがある。このため、このような第一ケーブル１５０ａを用いる表示装置１では、接続異常を検出できない場合がある。
【００５６】
図９に示される、比較例２の第一ケーブル１５０ｂは、本実施の形態に係る第一ケーブル１５０と同様に、第一往路導体１５１ｂ及び第一復路導体１５２ｂを有する。しかしながら、比較例２の第一ケーブル１５０ｂは、比較例１の第一ケーブル１５０ａと同様に第一往路導体１５１ｂと第一復路導体１５２ｂとの間隔が狭い点において、本実施の形態に係る第一ケーブル１５０と相違する。さらに、比較例２の第一ケーブル１５０ｂでは、第一往路導体１５１ｂと第一復路導体１５２ｂとが第一ケーブル１５０ｂの幅方向における端部付近に配置されている。
【００５７】
このような比較例２の第一ケーブル１５０ｂでも比較例１の第一ケーブル１５０ａと同様に、図９に示されるように、第一ケーブル１５０ｂがコネクタ１１５に斜めに挿入された場合、第一往路導体１５１ｂ及び第一復路導体１５２ｂと第一帰還配線１１５ｓとの導通が維持されることがある。このため、このような第一ケーブル１５０ｂを用いる表示装置１では、接続異常を検出できない場合がある。
【００５８】
これらの比較例に対して、本実施の形態に係る第一ケーブル１５０では、図１０に示されるように、第一ケーブル１５０がコネクタ１１５に斜めに挿入された場合、より確実に、第一帰還配線１１５ｓと、第一往路導体１５１又は第一復路導体１５２との導通を遮断できる。したがって、本実施の形態に係る第一ケーブル１５０によれば、より確実に接続異常を検出できる。
【００５９】
なお、第一ケーブル１５０の端部には、コネクタが設けられていてもよい。この場合、第一ケーブル１５０の端部における幅Ｗ０は、コネクタの幅であってもよい。
【００６０】
以上では、第一ケーブル１５０について説明したが、第二ケーブル１６０も第一ケーブル１５０と同様の構成を有する。
【００６１】
（実施の形態２）
実施の形態２に係る表示装置及び表示装置の検査方法について説明する。本実施の形態では、電源回路３以外の回路も用いてケーブルの接続異常を検知する。以下、本実施の形態に係る表示装置及び表示装置の検査方法について、実施の形態１との相違点を中心に説明する。
【００６２】
［２−１．回路基板］
本実施の形態に係る表示装置の回路基板について図１１を用いて説明する。図１１は、本実施の形態に係る主配線板１００と、第三配線板１７０と、第四配線板１８０と、第三ケーブル２５０と、第四ケーブル２６０とを示す模式図である。
【００６３】
図１１に示されるように、本実施の形態に係る主配線板１００は、第二出力配線２０１と、中継配線２０２と、第二入力配線２０３と、第二出力配線２０１に第二電圧を出力する第二回路３ａとをさらに有する。
【００６４】
第二回路３ａは、表示パネル１２における表示を開始する前に第二電圧を出力する回路であれば、特に限定されない。第二回路３ａとして、例えば、電源ＩＣ、センサなどを用いることができる。ここで、第二電圧は、特に限定されず、電源電圧であってもよいし、通信用信号に対応する信号電圧であってもよい。本実施の形態では、第二電圧は、第二回路３ａの状態を示すステータス信号である。
【００６５】
制御回路６０は、第二入力配線２０３に接続される。第二入力配線２０３は、例えば、制御回路６０の入力ポートのうち、第一入力配線１０３が接続されるポート以外のポートに接続される。
【００６６】
第三配線板１７０は、第三帰還配線１７５ｓを有し、第四配線板１８０は、第四帰還配線１８５ｓを有する。
【００６７】
第三ケーブル２５０は、第二出力配線２０１と第三帰還配線１７５ｓとを直接又は間接的に接続する第三往路導体２５１と、第二入力配線２０３と第三帰還配線１７５ｓとを直接又は間接的に接続する第三復路導体２５２とを有する。本実施の形態では、第三復路導体２５２は、第二入力配線２０３と第三帰還配線１７５ｓとを中継配線２０２などを介して間接的に接続する。
【００６８】
第四ケーブル２６０は、中継配線２０２と第四帰還配線１８５ｓとを直接又は間接的に接続する第四往路導体２６１と、第二入力配線２０３と第四帰還配線１８５ｓとを直接又は間接的に接続する第四復路導体２６２とを有する。
【００６９】
［２−２．動作］
次に、本実施の形態に係る表示装置の動作について説明する。
【００７０】
本実施の形態では、第二回路３ａが出力する第二電圧を用いて、第三ケーブル２５０及び第四ケーブル２６０の接続異常を検知する。図１１に示されるように、第二回路３ａが出力する第二電圧は、第二出力配線２０１、第三往路導体２５１、第三帰還配線１７５ｓ、第三復路導体２５２、中継配線２０２、第四往路導体２６１、第四帰還配線１８５ｓ、第四復路導体２６２及び第二入力配線２０３を介して、制御回路６０に入力される。したがって、第二回路３ａが適正に第二電圧を出力している場合でも、第三ケーブル２５０及び第四ケーブル２６０の少なくとも一方が適切に接続されていない場合には、制御回路６０に第二電圧が入力されない。制御回路６０は、第二回路３ａがステータス信号を出力していることを確認できないため、表示パネル１２における表示を開始しない。したがって、表示装置１の検査を行う際に第一ケーブル１５０及び第二ケーブル１６０の接続異常を速やかに検知できる。また、本実施の形態では、主配線板１００は、第二出力配線２０１、中継配線２０２及び第二入力配線２０３にそれぞれ接続された端子Ｔ１１、Ｔ１２及びＴ１３を有する。これにより、各端子における電圧、又は、各端子間の導通を検査することで、異常がある個所を容易に検出できる。
【００７１】
［２−３．検査方法］
次に、本実施の形態に係る表示装置の検査方法について、図１２を用いて説明する。図１２は、本実施の形態に係る表示装置の検査方法を示すフローチャートである。
【００７２】
図１２に示されるステップＳ１０及びＳ２０については、実施の形態１と同様であるため、説明を省略する。
【００７３】
本実施の形態では、ステップＳ２０において、制御回路６０が、第一電圧の入力が有ると判定した場合（Ｓ２０でＹｅｓ）、第二回路３ａが、第二電圧を出力する（Ｓ１１）。なお、第二回路３ａが第二電圧を出力するタイミングは、これに限定されず、ステップＳ２０以前であってもよい。
【００７４】
続いて、制御回路６０は、制御回路６０への第二電圧の入力の有無を判定する（Ｓ２１）。制御回路６０が、第二電圧の入力が有ると判定した場合（Ｓ２１でＹｅｓ）、制御回路６０は、表示パネル１２における表示を開始する（Ｓ３０）。一方、制御回路６０が、第二電圧の入力がないと判定した場合（Ｓ２１でＮｏ）、制御回路６０は、第三ケーブル２５０及び第四ケーブル２６０の少なくとも一方に接続異常が発生している可能性があると判断して、表示パネル１２における表示を開始することなく、異常を報知する（Ｓ４０）。この場合、制御回路６０は、例えば、異常を示す信号を出力してもよい。なお、第二電圧の入力がない場合には、第二回路３ａに異常がある可能性もある。第二回路３ａの異常であるのか、各ケーブルの接続異常であるのかは、例えば、図１１に示される端子Ｔ１１〜Ｔ１３の電圧などを検出することで判定できる。
【００７５】
このように、本実施の形態に係る表示装置の検査方法によれば、第三ケーブル２５０及び第四ケーブル２６０の接続異常を容易に検出できる。
【００７６】
（変形例など）
以上、本開示に係る表示装置及び表示装置の検査方法について、各実施の形態に基づいて説明してきたが、本開示に係る表示装置及び表示装置の検査方法は、上記各実施の形態に限定されるものではない。各実施の形態における任意の構成要素を組み合わせて実現される別の実施の形態や、各実施の形態に対して本開示の主旨を逸脱しない範囲で当業者が思いつく各種変形を施して得られる変形例や、本実施の形態に係る表示装置を内蔵した各種機器も本開示に含まれる。
【００７７】
例えば、上記各実施の形態に係る表示装置は、図１３に示されるような薄型フラットＴＶ３００に内蔵される。上記各実施の形態に係る表示装置により、ケーブルの接続異常を容易に検出できる薄型フラットＴＶを実現できる。
【００７８】
また、例えば、上記実施の形態１に係る第一ケーブル１５０の端部における第一往路導体１５１と第一復路導体１５２との離隔構成を、上記実施の形態２に係る第三ケーブル２５０及び第四ケーブル２６０に適用してもよい。
【００７９】
また、上記実施の形態２において、第二出力配線２０１に第二電圧でなく、上記実施の形態１に係る電源回路３から出力される第一電圧を出力してもよい。
【００８０】
また、上記各実施の形態では、回路基板は、第一配線板１１０及び第二配線板１２０を備えるが、電源電圧を表示パネル１２に供給する配線板の個数は、二つに限定されず、三つ以上でもよい。この場合、回路基板は、主配線板１００と、各配線板とを接続する三つ以上のケーブルを備えてもよい。
【産業上の利用可能性】
【００８１】
本開示は、有機ＥＬフラットパネルディスプレイに有用であり、特に、大画面のディスプレイにおいて用いるのに最適である。
【符号の説明】
【００８２】
１、１００１    表示装置
２    表示部
３    電源回路（第一回路）
３ａ    第二回路
９、１００９  回路基板
１２    表示パネル
２０    画素回路
３０    給電線
４０    データ線駆動回路
５０    ゲート駆動回路
６０    制御回路
１００    主配線板
１０１    第一出力配線
１０２、２０２    中継配線
１０３    第一入力配線
１０５、１０６、１０７、１０８、１１５、１２５、１７５、１８５    コネクタ
１１０    第一配線板
１１５ｓ    第一帰還配線
１２０    第二配線板
１２５ｓ    第二帰還配線
１３１ａ、１３１ｂ、１３１ｃ    第一接続板
１３２ａ、１３２ｂ、１３２ｃ    第二接続板
１３３ａ、１３３ｂ、１３３ｃ、１３３ｄ、１３３ｅ、１３３ｆ    第三接続板
１３４ａ、１３４ｂ、１３４ｃ、１３４ｄ、１３４ｅ、１３４ｆ    第四接続板
１５０、１５０ａ、１５０ｂ    第一ケーブル
１５１、１５１ａ、１５１ｂ    第一往路導体
１５２、１５２ａ、１５２ｂ    第一復路導体
１６０    第二ケーブル
１６１    第二往路導体
１６２    第二復路導体
１７０    第三配線板
１７５ｓ    第三帰還配線
１８０    第四配線板
１８５ｓ    第四帰還配線
２０１    第二出力配線
２０３    第二入力配線
２５０    第三ケーブル
２５１    第三往路導体
２５２    第三復路導体
２６０    第四ケーブル
２６１    第四往路導体
２６２    第四復路導体
３００    薄型フラットＴＶ
Ｔ１、Ｔ２、Ｔ３、Ｔ１１、Ｔ１２、Ｔ１３    端子
【図１】
2020024316.tif 000003
【図２】
2020024316.tif 000004
【図３】
2020024316.tif 000005
【図４】
2020024316.tif 000006
【図５】
2020024316.tif 000007
【図６】
2020024316.tif 000008
【図７】
2020024316.tif 000009
【図８】
2020024316.tif 000010
【図９】
2020024316.tif 000011
【図１０】
2020024316.tif 000012
【図１１】
2020024316.tif 000013
【図１２】
2020024316.tif 000014
【図１３】
2020024316.tif 000015